(57)【特許請求の範囲】
【請求項１】
通信回線を介して音声信号を送受信する音声通話機能および前記通信回線を介して画像信号を送受信する画像通信機能を有し、上記通信回線を通じて個別に送信されてくる音声通話番号または画像通信番号に随時応対して着信処理を行い、その着信処理によって取得された発信元識別コードを着信履歴情報として記憶することができる通信装置であって、
着信処理によって取得された上記発信元識別コードを、着信時に応対した上記音声通話番号または上記画像通信番号ごとに関連付けて記憶させておく着信履歴記憶制御手段と、
上記着信履歴記憶制御手段によって記憶された上記発信元識別コードを、着信時に応対した上記音声通話番号または上記画像通信番号別に選択的に出力させる着信履歴出力手段とを備え、
上記着信履歴出力手段は、相手先との通信に際して、上記音声通話機能が選択された上で出力要求を受けた場合、上記音声通話番号の応対により記憶された発信元識別コードを出力させる一方、上記画像通信機能が選択された上で出力要求を受けた場合、上記画像通信番号の応対により記憶された発信元識別コードを出力させることを特徴とする通信装置。
【請求項２】
上記着信履歴出力手段は、表示手段を介して上記発信元識別コードを着信履歴情報として表示出力させることを特徴とする、請求項１に記載の通信装置。
【発明の詳細な説明】
【０００１】
【発明の属する技術分野】
本発明は、複数の接続先指定コードの応対により着信処理が可能な、いわゆるダイヤルインサービス対応の通信装置に関する。
【０００２】
【従来の技術】
従来、通信装置の一例としてファクシミリ装置や電話装置などには、いわゆるダイヤルインサービスに対応したものがある。このダイヤルインサービスとは、１本の契約回線に対して複数の電話番号（接続先指定コード）を与え、各電話番号に基づいて個々に応対を可能とした回線サービスの一種である。このようなダイヤルインサービスを受けるために、たとえばファクシミリ装置では、画像通信機能および音声通話機能ごとに異なる電話番号が付与されて応答可能とされている。
【０００３】
また、他の回線サービスとして、発信元の電話番号（発信元識別コード）を通知する、いわゆるナンバーディスプレイサービスが近年になって提供されており、このナンバーディスプレイサービスを受けた通信装置では、着信した信号から発信元の電話番号を取得し、その発信元の電話番号を呼出音の発生とともに表示パネルなどに表示可能としている。このようなナンバーディスプレイサービスに基づく発信元電話番号を不在着信時に取得した場合は、発信元電話番号が着信履歴情報として一旦メモリに記憶され、その後、所定の操作に応じて着信のあった発信元電話番号が表示パネルに表示可能とされている。
【０００４】
【発明が解決しようとする課題】
しかし、上記従来の通信装置では、ダイヤルインサービスおよびナンバーディスプレイサービスによる利点を着信時に生かすことができるが、不在着信時に取得した発信元電話番号のみが着信履歴情報として記憶および表示されるだけであるので、そのようにして表示される着信履歴情報を確認することによっても、いずれのダイヤルインサービスに基づく電話番号を接続先として着信があったのか使用者にとっては判別することができず、ダイヤルインサービスを有効に利用できないという問題があった。たとえば、ファクシミリと電話とでダイヤルインサービスを利用する場合、ファクシミリ側にかかってきた番号か、電話側にかかってきた番号かの区別がつかず、非常に不便であった。
【０００５】
本発明は、上記の点に鑑みて提案されたものであって、着信時の発信元を表示するのみならず、いずれの電話番号を接続先として着信があったのか示すことにより、ダイヤルインサービスを有効に利用することができる通信装置を提供することを目的とする。
【０００６】
【課題を解決するための手段】
上記目的を達成するために、請求項１に記載した発明の通信装置は、通信回線を介して音声信号を送受信する音声通話機能および前記通信回線を介して画像信号を送受信する画像通信機能を有し、上記通信回線を通じて個別に送信されてくる音声通話番号または画像通信番号に随時応対して着信処理を行い、その着信処理によって取得された発信元識別コードを着信履歴情報として記憶することができる通信装置であって、着信処理によって取得された上記発信元識別コードを、着信時に応対した上記音声通話番号または上記画像通信番号ごとに関連付けて記憶させておく着信履歴記憶制御手段と、上記着信履歴記憶制御手段によって記憶された上記発信元識別コードを、着信時に応対した上記音声通話番号または上記画像通信番号別に選択的に出力させる着信履歴出力手段とを備え、上記着信履歴出力手段は、相手先との通信に際して、上記音声通話機能が選択された上で出力要求を受けた場合、上記音声通話番号の応対により記憶された発信元識別コードを出力させる一方、上記画像通信機能が選択された上で出力要求を受けた場合、上記画像通信番号の応対により記憶された発信元識別コードを出力させることを特徴としている。
【０００７】
この通信装置によれば、着信処理によって取得された発信元識別コードは、着信時に応対した音声通話番号または画像通信番号別に選択的に着信履歴情報として出力され、その出力に応じて着信履歴情報を表示することができるので、着信時の発信元識別コードが表示されるのみならず、その発信元からいずれの音声通話番号または画像通信番号を指定して着信があったのか示されることとなり、たとえば音声通話番号または画像通信番号として、いわゆるダイヤルインサービスに基づく複数の電話番号が付与されている場合、いずれの電話番号を接続先としてどの発信元から着信があったのかを使用者は容易に判別することができ、いわゆるナンバーディスプレイサービスとともにダイヤルインサービスを有効に利用することができる。また、音声通話機能および画像通信機能のいずれかの選択に応じて、各機能別に設定された音声通話番号または画像通信番号に対応する発信元識別コードが出力されるので、たとえばファクシミリ装置に適用すれば、使用者が電話をする際に送受話器などを持ち上げて着信履歴の出力要求をする所定の操作を行うだけで、電話により着信のあった発信元識別コードが表示され、その一方、ファクシミリ通信を行う際に原稿などを挿入して着信履歴の出力要求をする所定の操作を行えば、ファクシミリ通信により着信のあった発信元識別コードが表示されることとなる。つまり、各機能を作動させるにあたって着信履歴の出力要求をするだけで、作動しようとする機能に応じて過去に着信のあった発信元識別コードが表示されるので、着信のあった発信元識別コードを使用者の機能選択に応じて機能別に表示させることができる。
【０００８】
通信回線としては、公衆回線であっても専用回線であってもよく、また有線であっても無線であってもよい。
【０００９】
【００１０】
発信元識別コードとしては、たとえば公衆電話回線において提供される、いわゆるナンバーディスプレイサービスに基づいて通知される電話番号が適用されるが、特にナンバーディスプレイサービスに基づく電話番号に限るものではない。
【００１１】
発信元識別コードを着信時に応対した音声通話番号または画像通信番号別に選択的に出力させる方式としては、発信元識別コードと音声通話番号または画像通信番号とを同時に出力表示させる方式や、接続先指定コードに符号を割り当てるとともに、その符号に対応させつつ着信履歴順に発信元識別コードをスクロール表示する方式が考えられるが、発信元識別コードと音声通話番号または画像通信番号との対応関係を表示できるのであれば、どのような出力方式であってもよく、たとえば記録用紙上に着信履歴管理レポートとして印字出力される方式であってもよい。
【００１２】
【００１３】
【００１４】
【００１５】
【００１６】
【００１７】
【００１８】
また、請求項２に記載した発明の通信装置は、請求項１に記載の通信装置であって、上記着信履歴出力手段は、表示手段を介して上記発信元識別コードを着信履歴情報として表示出力させる。
【００１９】
この通信装置によれば、請求項１に記載の通信装置による効果に加えて、着信履歴情報として表示手段に発信元識別コードが表示出力されるので、着信処理によって取得された発信元識別コードを発信すべきかどうかの判断を、着信履歴情報として表示される接続先指定コードを確認して即断することができる。
【００２０】
【００２１】
【００２２】
【発明の実施の形態】
以下、本発明の好ましい実施の形態ついて図面を参照して具体的に説明する。
【００２３】
図１は、本発明にかかる通信装置の一例としてファクシミリ装置の回路構成を示した回路ブロック図であって、この図に示すように、ファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、音声コーデック１０、読取部１１、記録部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、および音声コーデック１０は、バス線により相互に接続されている。バス線には、アドレスバス、データバス、および制御信号線が含まれる。ゲートアレイ７には、読取部１１、記録部１２、操作部１３、および表示部１４が接続されている。ＮＣＵ２には、通信網の一例としての公衆電話回線２１が接続されている。
【００２４】
ＣＰＵ１は、ファクシミリ装置全体を制御する。ＮＣＵ２は、公衆電話回線２１に接続されて網制御を行う。このＮＣＵ２には、送受話器２ａが接続されており、この送受話器２ａを介して相手先と音声による通話が可能とされている。ＲＡＭ３は、充電電池などの電池（図示省略）により電源バックアップが施されており、音声データや画像データなどの各種データを記憶する。モデム４は、送信データの変調や受信データの復調などを行う。ＲＯＭ５は、各種のプログラムや初期設定値などのデータを記憶している。ＥＥＰＲＯＭ６は、各種のフラグや登録データなどを記憶する。ゲートアレイ７は、ＣＰＵ１の入出力インターフェースとして機能する。コーデック８は、ファクシミリ送信データの符号化やファクシミリ受信データの復号化を行う。ＤＭＡＣ９は、ＲＡＭ３へのデータの書き込みや読み出しを行う。音声コーデック１０は、アナログの音声信号およびデジタルの音声データを相互に変換する。
【００２５】
読取部１１は、光源やイメージセンサなどを備えており、アナログの画像信号を出力する。記録部１２は、たとえばインクジェット方式の記録装置を備えており、受信画像やコピー時の読取画像などを記録用紙上に記録する。操作部１３は、キースイッチ群などからなり、使用者の操作入力に応じた操作信号を出力する。表示部１４は、ＬＣＤなどの表示パネルからなり、ＣＰＵ１に制御されて各種の情報を表示する。
【００２６】
要点について説明すると、このファクシミリ装置には、回線サービスとして提供された、ダイヤルインサービスおよびナンバーディスプレイサービスに対応する機能が備えられている。ダイヤルインサービスに基づく機能としては、相手先からの発信コードとなるダイヤルイン電話番号（接続先指定コード）を、一の公衆電話回線２１に対して複数保有しており、相手先からのファクシミリ通信に基づくファクシミリ画像の送信および電話に基づく通話音声の送信に応じて、異なるダイヤルイン電話番号にて受信することが可能とされている。具体的な一例を挙げれば、相手先から第１のダイヤルイン番号が発信されて呼出信号が着信すると、ＣＰＵ１は、ファクシミリ画像の送信に基づいて呼出信号が着信したと判断し、所定のファクシミリ画像受信処理に移行する。その一方、相手先から第２のダイヤルイン番号が発信されて呼出信号が着信すると、ＣＰＵ１は、通話音声の送信に基づいて呼出信号が着信したと判断し、所定の通話処理に移行する。つまり、相手先から本装置に対してファクシミリ画像を送信したい場合には、第１のダイヤルイン番号を発信すればよく、本装置との間で音声による通話を行いたい場合には、第２のダイヤルイン番号を発信すればよいこととなり、本実施形態で示す一例では、１本の公衆電話回線２１を通じて２種類の電話番号にて応対が可能とされる。
【００２７】
また、ナンバーディスプレイサービスに基づく機能としては、発信相手先の電話番号である発信元電話番号（発信元識別コード）が、着信処理に際して呼出信号とともに受信されており、相手先から呼び出しがあると呼出音が発生するとともに、着信処理によって取得された発信元電話番号が表示パネルに表示される。不在着信時に発信元電話番号が取得された場合には、その発信元電話番号が着信履歴情報としてＲＡＭ３に一旦記憶され、その後、使用者の所定操作に応じて着信のあった発信元電話番号が表示パネルに表示可能とされている。このような不在着信時において取得された発信元電話番号は、着信時に応対した上記ダイヤルイン電話番号ごとに関連づけて記憶されており、着信履歴情報として発信元電話番号が表示される際、ＣＰＵ１は、着信時に応対したダイヤルイン電話番号とともに発信元電話番号を表示パネルに表示させている。着信履歴情報として発信元電話番号が表示され、その後使用者によって所定の発信操作が行われると、ＣＰＵ１は、着信履歴情報として表示された発信元電話番号を発呼相手先として発信させることとなる。この際、使用者は、発信元電話番号を発信すべきかどうかの判断を、発信元電話番号とともに表示されたダイヤルイン電話番号を確認して即断することができる。
【００２８】
すなわち、ＣＰＵ１は、着信処理によって取得された発信元識別コードを、着信時に応対した接続先指定コードごとに関連付けて記憶させておく着信履歴記憶制御手段と、着信履歴記憶制御手段によって記憶された発信元識別コードを、着信時に応対した接続先指定コード別に選択的に出力させる着信履歴出力手段とを実現している。また、ＣＰＵ１は、表示手段に表示出力された着信履歴情報である発信元識別コードを、接続先として発信させる着信コード発信手段を実現している。
【００２９】
ＲＯＭ５は、通信回線を介して各種信号を送受信するとともに、その通信回線を通じて個別に送信されてくる複数の接続先指定コードに随時応対して着信処理を行い、その着信処理によって取得された発信元識別コードを着信履歴情報として記憶および表示することができる通信装置を制御するためのプログラムを記憶した記憶媒体であって、着信処理によって取得された上記発信元識別コードを、着信時に応対した上記接続先指定コードごとに関連付けて記憶させておくための着信履歴記憶制御プログラムと、上記着信履歴記憶制御プログラムに基づいて記憶された上記発信元識別コードを、着信時に応対した上記接続先指定コード別に選択的に出力させるための着信履歴出力プログラムとを含むプログラムを記憶した記憶媒体を実現している。
【００３０】
次に、上記構成を有するファクシミリ装置の動作の要点について、図２に示すフローチャートを参照して説明する。
【００３１】
図２は、ファクシミリ装置における着信処理の動作手順を示したフローチャートであって、この図に示すように、まず、ＣＰＵ１は、公衆電話回線２１を介して呼出信号が着信したか否か判断する（Ｓ１）。この呼出信号には、ダイヤルイン電話番号および発信元電話番号を内容とする所定の信号が付加されており、これら所定の信号をともなって呼出信号が送信されてくる。
【００３２】
呼出信号が着信すると（Ｓ１：ＹＥＳ）、ＣＰＵ１は、呼出信号に付加された所定の信号の内容に基づいて、第１のダイヤルイン番号を取得したか否かを判断する（Ｓ２）。
【００３３】
第１のダイヤルイン番号を取得した場合（Ｓ２：ＹＥＳ）、ＣＰＵ１は、第１のダイヤルイン番号に対応して設定されたＲＡＭ３の第１の記憶領域に発信元電話番号を着信履歴情報として記憶させる（Ｓ３）。
【００３４】
そして、ＣＰＵ１は、表示パネルに発信元電話番号を表示させるとともに、応対した第１のダイヤルイン番号も表示パネルに表示させる（Ｓ４）。
【００３５】
その後、ＣＰＵ１は、通常と同様のファクシミリ受信処理を行い（Ｓ５）、この着信処理に関するシーケンスプログラムの実行を終了する。ファクシミリ受信処理については、従来と同様の処理であるため、詳細説明を省略する。
【００３６】
Ｓ２において、第１のダイヤルイン番号を取得することなく、第２のダイヤルイン番号を取得した場合（Ｓ２：ＮＯ）、ＣＰＵ１は、第２のダイヤルイン番号に対応して設定されたＲＡＭ３の第２の記憶領域に発信元電話番号を着信履歴情報として記憶させる（Ｓ６）。
【００３７】
そして、ＣＰＵ１は、表示パネルに発信元電話番号を表示させるとともに、応対した第２のダイヤルイン番号も表示パネルに表示させる（Ｓ７）。
【００３８】
その後、ＣＰＵ１は、通常と同様の通話処理を行い（Ｓ８）、この着信処理に関するシーケンスプログラムの実行を終了する。通話処理については、従来と同様の処理であるため、詳細な説明を省略する。
【００３９】
つまり、着信処理によってＲＡＭ３に記憶された発信元電話番号は、第１および第２のダイヤルイン番号別に記憶されている。そして、不在着信時の留守番モードなどにおいて着信処理が行われ、その後、使用者によって着信履歴情報を表示すべき所定の操作が行われると、ＣＰＵ１は、ＲＡＭ３に記憶された発信元電話番号を、応対した第１および第２のダイヤルイン番号別に読み出しつつ、表示パネルに第１および第２のダイヤルイン番号を連記した状態で発信元電話番号を表示させる。
【００４０】
Ｓ１において、呼出信号が着信しない場合（Ｓ１：ＮＯ）、ＣＰＵ１は、呼出信号が着信するまでＳ１の判断処理を繰り返し実行する。
【００４１】
したがって、以上の構成、動作を有するファクシミリ装置によれば、着信処理によって取得された発信元電話番号が着信時に応対したダイヤルイン電話番号とともに着信履歴情報として表示されるので、着信時の発信元を表示するのみならず、いずれのダイヤルイン電話番号を指定して着信があったのか示されることとなり、ダイヤルインサービスに基づいて複数の電話番号が付与されている場合、いずれの電話番号を接続先としてどの発信元から着信があったのかを使用者は容易に判別することができ、いわゆるナンバーディスプレイサービスとともにダイヤルインサービスを有効に利用することができる。
【００４２】
次に、本発明にかかる通信装置の他の実施形態について説明する。
【００４３】
他の実施形態にかかる通信装置は、先の実施形態と同様の回路構成を有するものであるため、その回路構成の図示説明を省略するが、着信した発信元電話番号（以下、「着信番号」という）ごとにダイヤルイン番号に関する情報を記憶する方式を採用したものである。なお、このような記憶方式を採用するのに先立って、通信装置には、ｎ種類のダイヤルイン番号を設定することが可能とされている。
【００４４】
図３は、他の実施形態におけるメモリの記憶領域を模式的に示した模式図であって、この図に示すように、ＲＡＭなどのメモリには、着信番号ごとにその番号を記憶する領域（着信番号記憶領域）Ａが設けられており、着信番号は、着信番号記憶領域Ａの番号ブロックＡ１，Ａ２，…ごとに着信に応じて記憶されている。各番号ブロックＡ１，Ａ２，…には、ダイヤルイン番号に関する情報を記憶する属性領域Ｂが割り当てられており、この属性領域Ｂには、第１から第ｎのダイヤルイン番号別に「０」か「１」のフラグを格納するｎ区画の符号ブロックＢ１，Ｂ２，…，Ｂｎが設けられている。この符号ブロックＢ１，Ｂ２，…，Ｂｎにおけるフラグが「１」の場合、対応するダイヤルイン番号を指定して着信があったこととなる。
【００４５】
図３に基づいて具体的に説明すると、「０１０…」の着信番号については、属性領域Ｂにおける第１番目の符号ブロックＢ１のみが「１」であることから、その「０１０…」の着信番号は、第１のダイヤルイン番号を指定して着信があったといえる。また、「０４０…」の着信番号については、属性領域Ｂにおける第１番目と第２番目の符号ブロックＢ１，Ｂ２が「１」であることから、第１のダイヤルイン番号および第２のダイヤルイン番号を指定して２回以上着信があったといえる。一方、「０３０…」の着信番号は、全ての番号ブロックＢ１〜Ｂｎが  「１」とされているが、このような場合、着信番号は、ダイヤルイン番号を指定することなく着信したものとされる。
【００４６】
以上の記憶方式が採用された他の実施形態における着信処理について、図４に基づいて説明する。
【００４７】
図４は、他の実施形態における着信処理の動作手順を示したフローチャートであって、この図に示すように、まず、呼出信号の着信に応じて着信処理が開始されると、ＣＰＵは、呼出信号に発信元情報が含まれるか否かを判断する（Ｓ２１）。この発信元情報とは、先の実施形態において説明した発信元電話番号を内容とした情報である。
【００４８】
発信元情報が有る場合（Ｓ２１：ＹＥＳ）、ＣＰＵは、その発信元情報に基づいて発信元電話番号を着信番号としてメモリの着信番号記憶領域Ａに記憶させる（Ｓ２２）。この際、着信番号記憶領域Ａのいずれかの番号ブロックに着信番号が既に記憶されている場合、その着信番号を別の番号ブロックにさらに記憶させることはしない。
【００４９】
着信番号を記憶させた後、ＣＰＵは、その着信番号が第１のダイヤルイン番号を指定して着信したのか否かを判断する（Ｓ２３）。
【００５０】
第１のダイヤルイン番号を指定して着信したものでない場合（Ｓ２３：ＮＯ）、ＣＰＵは、第２のダイヤルイン番号を指定して着信したのか否かを判断する（Ｓ２４）。
【００５１】
第２のダイヤルイン番号を指定して着信したものでもない場合（Ｓ２４：ＮＯ）、ＣＰＵは、第３のダイヤルイン番号に関しても、Ｓ２３、Ｓ２４と同様の判断処理を実行する（Ｓ２５）。なお、図４に示すフローチャートでは、第１から第３の３つのダイヤルイン番号に関して各処理が実行されているが、第１から第ｎのダイヤルイン番号が設定されている場合は、上記したＳ２３〜Ｓ２５までの処理と同様の処理が第ｎ番目まで繰り返されることとなる。
【００５２】
第３のダイヤルイン番号を指定して着信したものでもない場合（Ｓ２５：ＮＯ）、つまり、設定されているダイヤルイン番号全てを指定することなく着信信号が着信した場合、ＣＰＵは、属性領域Ｂ全ての符号ブロックＢ１〜Ｂｎにおけるフラグを「１」とする（Ｓ２６）。これにより、着信履歴情報としてダイヤルイン番号別に着信番号を表示させる場合、ダイヤルイン番号を指定することなく着信した着信番号は、全てのダイヤルイン番号とともに表示されることとなる。
【００５３】
このようにして属性領域Ｂにフラグの書き込みを行った後、ＣＰＵは、通常と同様の通話処理を行い（Ｓ２７）、この着信処理に関するルーチンを終了する。
【００５４】
Ｓ２５において、第３のダイヤルイン番号を指定して着信したものであった場合（Ｓ２５：ＹＥＳ）、ＣＰＵは、属性領域Ｂにおける第３の符号ブロックＢ３のフラグを「１」とする（Ｓ２８）。
【００５５】
その後、ＣＰＵは、フラグを「１」としたダイヤルイン番号がファクシミリ番号として設定された番号であるか否かを判断する（Ｓ２９）。
【００５６】
ファクシミリ番号である場合（Ｓ２９：ＹＥＳ）、ＣＰＵは、通常と同様のファクシミリ受信処理を行い（Ｓ３０）、この着信処理に関するルーチンを終了する。
【００５７】
フラグを「１」としたダイヤルイン番号がファクシミリ番号でない場合（Ｓ２９：ＮＯ）、すなわちそのダイヤルイン番号が音声通話のための電話番号である場合、ＣＰＵは、Ｓ２７に移行して通話処理を行う。
【００５８】
Ｓ２４において、第２のダイヤルイン番号を指定して着信したものであった場合（Ｓ２４：ＹＥＳ）、ＣＰＵは、属性領域Ｂにおける第２の符号ブロックＢ２のフラグを「１」とする（Ｓ３１）。その後、ＣＰＵは、Ｓ２９の判断処理を実行することとなる。
【００５９】
Ｓ２３において、第１のダイヤルイン番号を指定して着信したものであった場合（Ｓ２３：ＹＥＳ）、ＣＰＵは、属性領域Ｂにおける第１の符号ブロックＢ１のフラグを「１」とする（Ｓ３２）。その後、ＣＰＵは、Ｓ２９の判断処理を実行することとなる。
【００６０】
Ｓ２１において、発信元情報がない場合（Ｓ２１：ＮＯ）、ＣＰＵは、Ｓ２２〜Ｓ２６までの処理を実行することなく、Ｓ２７に飛んで通話処理を行う。
【００６１】
このようにして着信番号ごとに着信時に指定されたダイヤルイン番号がフラグ状態によって記憶されたこととなり、後に着信履歴情報を表示する際は、一のダイヤルイン番号を表示させるための指定操作を行うと、表示パネルには、そのダイヤルイン番号を指定して着信した着信番号全てが表示されることとなる。
【００６２】
たとえば、図３を参照して説明すると、第１のダイヤルイン番号に関しての着信履歴情報を表示する場合、属性領域Ｂの第１の符号ブロックＢ１におけるフラグが「１」である、「０１０…」、「０３０…」、および「０４０…」の着信番号が表示されることとなる。一方、第２のダイヤルイン番号に関しての着信履歴情報を表示する場合、第２の符号ブロックＢ２におけるフラグが「１」である、「０２０…」、「０３０…」、および「０４０…」の着信番号が表示されることとなる。
【００６３】
したがって、図３および図４に基づいて説明した他の実施形態によれば、ダイヤルイン番号ごとにいずれの着信番号から呼び出しを受けて着信したのか、ダイヤルイン番号に対応したフラグの状態によって区別して記憶させておくことができるので、同一の着信番号から異なるダイヤルイン番号を指定して着信があった場合、重複して着信番号が記憶されることがないことから、メモリの記憶領域を効率的に利用することができる。
【００６４】
なお、上記各実施形態においては、ファクシミリ装置に適用したが、コードレス電話装置などに適用することも可能である。この場合、装置本体および無線方式で音声信号を送受信する送受話器別にダイヤルイン電話番号を設定することにより、装置本体および送受話器のいずれかに対して着信があったのかを、着信履歴情報として表示されるダイヤルイン電話番号に応じて判別することができる。
【００６５】
また、上記各実施形態においては、発信元電話番号をダイヤルイン電話番号とともに所定の操作に応じて表示させるようにしたが、使用者が電話をする際に送受話器などを持ち上げて着信履歴の表示を要求する所定操作を行うだけで、電話により着信のあった発信元電話番号が表示され、その一方、ファクシミリ通信を行う際に原稿などを挿入して着信履歴の表示を要求する所定操作を行えば、ファクシミリ通信により着信のあった発信元番号が表示されるように構成してもよい。このような構成の場合、各機能を作動させるにあたって着信履歴の表示要求をするだけで、作動しようとする機能に応じて過去に着信のあった発信元電話番号が表示されるので、着信のあった発信元電話番号を使用者の機能選択に応じて機能別に表示させることができる。
【００６６】
【発明の効果】
以上説明したように、請求項１に記載した発明の通信装置によれば、着信処理によって取得された発信元識別コードは、着信時に応対した音声通話番号または画像通信番号別に選択的に着信履歴情報として出力され、その出力に応じて着信履歴情報を表示することができるので、着信時の発信元識別コードが表示されるのみならず、その発信元からいずれの音声通話番号または画像通信番号を指定して着信があったのか示されることとなり、たとえば音声通話番号または画像通信番号として、いわゆるダイヤルインサービスに基づく複数の電話番号が付与されている場合、いずれの電話番号を接続先としてどの発信元から着信があったのかを使用者は容易に判別することができ、いわゆるナンバーディスプレイサービスとともにダイヤルインサービスを有効に利用することができる。また、音声通話機能および画像通信機能のいずれかの選択に応じて、各機能別に設定された音声通話番号または画像通信番号に対応する発信元識別コードが出力されるので、たとえばファクシミリ装置に適用すれば、使用者が電話をする際に送受話器などを持ち上げて着信履歴の出力要求をする所定の操作を行うだけで、電話により着信のあった発信元識別コードが表示され、その一方、ファクシミリ通信を行う際に原稿などを挿入して着信履歴の出力要求をする所定の操作を行えば、ファクシミリ通信により着信のあった発信元識別コードが表示されることとなる。つまり、各機能を作動させるにあたって着信履歴の出力要求をするだけで、作動しようとする機能に応じて過去に着信のあった発信元識別コードが表示されるので、着信のあった発信元識別コードを使用者の機能選択に応じて機能別に表示させることができる。
【００６７】
【００６８】
【００６９】
【００７０】
また、請求項２に記載した発明の通信装置によれば、請求項１に記載の通信装置による効果に加えて、着信履歴情報として表示手段に発信元識別コードが表示出力されるので、着信処理によって取得された発信元識別コードを発信すべきかどうかの判断を、着信履歴情報として表示される接続先指定コードを確認して即断することができる。
【００７１】
【図面の簡単な説明】
【図１】  本発明にかかる通信装置の一例としてファクシミリ装置の回路構成を示した回路ブロック図である。
【図２】  ファクシミリ装置における着信処理の動作手順を示したフローチャートである。
【図３】  他の実施形態におけるメモリの記憶領域を模式的に示した模式図である。
【図４】  他の実施形態における着信処理の動作手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１０  音声コーデック
１１  読取部
１２  記録部
１３  操作部
１４  表示部
２１  公衆電話回線
【図１】
0003885353.tif 000002
【図２】
0003885353.tif 000003
【図３】
0003885353.tif 000004
【図４】
0003885353.tif 000005